(57)【要約】【課題】収納筒状体が前後に並べて配列される場合も使い捨てコップが前後の収納筒状体にほぼ均等に投入されて回収作業回数の減少、資材の節減を図れ、また収納筒状体からゴミ袋への移し変え作業の省略化を図る。【解決手段】上方開放状の本体容器１と、本体容器１の内部に取り外し可能に内装したゴミ袋２と、ゴミ袋２の中に出し入れ可能に入れられる収納筒状体群３とを備える。収納筒状体群３は、使い捨てコップＣを縦向きに投入可能な投入口７を上部に有し、底部に開放口８を有する複数本の収納筒状体５と、隣り合う収納筒状体５，５同士を結合するプラスチックスナップ６等の結合手段とで構成される。収納筒状体群３は、収納筒状体５を少なくとも前後に配列するとともに、後ろ側の収納筒状体５の投入口７を前側の収納筒状体５の投入口７の高さよりも高くなるように配備する。【選択図】　　　図１
2004142931.tif 000002
【特許請求の範囲】
【請求項１】
上方開放状の本体容器と、本体容器の内部に取り外し可能に内装したゴミ袋と、ゴミ袋の中に出し入れ可能に入れられる収納筒状体群と、を備えており、
前記収納筒状体群は、使い捨てコップを縦向きに投入可能な投入口を上部に有し、底部に開放口を有する複数本の収納筒状体と、隣り合う収納筒状体同士を結合する結合手段とで構成され、前記収納筒状体は少なくとも前後に配列されるとともに、後ろ側の収納筒状体の投入口が前側の収納筒状体の投入口の高さよりも高くなるように配備されていることを特徴とする、使い捨てコップの回収用収納具。
【請求項２】
前記収納筒状体群の最外周の相対向する個所に、前記本体容器の上方開口縁部に着脱可能に係合する吊下げ部材を外方へ張出し状に取り付けている、請求項１記載の使い捨てコップの回収用収納具。
【請求項３】
前記本体容器の上方開口縁部に掛けられた前記ゴミ袋の口縁部の上に枠形状の押さえ蓋が前記収納筒状体群の外周を囲むように着脱可能に重合載置されている、請求項１又は２に記載の使い捨てコップの回収用収納具。
【請求項４】
前記収納筒状体がプラスチックシートで形成され、前記結合手段がプラスチック製スナップからなる、請求項１ないし３のいずれかに記載の使い捨てコップの回収用収納具。
【発明の詳細な説明】
【０００１】
【発明の属する技術分野】
本発明は、ジュースやコーヒー等の自動販売機の傍などに設置される、使い捨てコップの回収用収納具に関する。
【０００２】
【従来の技術】
使用済みの紙製やプラスチック製のコップはゴミ袋やゴミ箱に無造作に投入されると向きが不揃いでバラバラの姿勢となり、実際に収容できる使い捨てコップの量はゴミ袋やゴミ箱の容積に比して非常に少なく、すぐに満杯になって頻繁に回収する必要がある。
この問題を解決するために、使い捨てコップの回収用収納具として、投入される使い捨てコップが順次積み重なり状に収容される収納筒状体を用意し、この収納筒状体を複数本並べてゴミ箱の中に配備したものがある（例えば、特許文献１，２参照。）。これによれば、投入される使い捨てコップが順次積み重なり合うように収容されるため、ゴミ箱の収容効率を高めることができる。
【０００３】
【特許文献１】
実開平５−７２８０４号公報
【特許文献２】
登録実用新案第３００３１３５号公報
【０００４】
【発明が解決しようとする課題】
しかるに、上記の使い捨てコップの回収用収納具は、複数本の収納筒状体が全ての投入口が同じ高さに揃うようにごみ箱の中に配備されている。このように、収納筒状体が前後方向に配列され、前列の収納筒状体の投入口と後列の収納筒状体の投入口とが同じ高さに設定されていると、人がこの回収用収納具の前側に立って使用済みコップを捨てる際、経験的に前列の収納筒状体のみに集中的に投入される傾向が大であり、後列の収納筒状体よりも先に前列の収納筒状体が使い捨てコップで満杯になり、後列の収納筒状体が空いていても使い捨てコップは前列の満杯になった使い捨てコップの上に更に捨てられて溢れ出し周囲に散乱してしまうことを知見した。これは、前列の収納筒状体の投入口と後列の収納筒状体の投入口とが同じ高さであると後列の収納筒状体の投入口が前列の収納筒状体で隠れ気味になって見えにくく、また手が届き難く、投入し難いことなどに起因しているものと考えられる。
【０００５】
このように、前列の収納筒状体の方が使い捨てコップで満杯になって溢れ出すと、後列の収納筒状体が空いていてもこれをゴミ袋に移して回収せざるを得ず、実際に回収できる使い捨てコップの量はゴミ袋やゴミ箱の容積に比して非常に少なく、回収作業回数の増大、資材の無駄を招いていた。
【０００６】
また、上記使い捨てコップの回収用収納具では、収納筒状体内に積み重ね状態に収容された使い捨てコップは回収時に収納筒状体からゴミ袋に移し変えなければならず、煩わしい手間を要していた。
【０００７】
本発明の目的は、上記のような問題を解消するためになされたものであり、上記のような、投入される使い捨てコップが順次積み重なり状に収容される収納筒状体を採用する回収用収納具において、収納筒状体が前後に並べて配列される場合も前後列の収納筒状体にほぼ均等に投入されて回収作業回数の減少、資材の節減を図れ、また収納筒状体からゴミ袋への移し変え作業を省略できる使い捨てコップの回収用収納具を提供することにある。
【０００８】
【課題を解決するための手段】
本発明の使い捨てコップの回収用収納具は、上方開放状の本体容器と、本体容器の内部に取り外し可能に内装したゴミ袋と、ゴミ袋の中に出し入れ可能に入れられる収納筒状体群と、を備えており、前記収納筒状体群は、使い捨てコップを縦向きに投入可能な投入口を上部に有し、底部に開放口を有する複数本の収納筒状体と、隣り合う収納筒状体同士を結合する結合手段とで構成され、前記収納筒状体は少なくとも前後に配列されるとともに、後ろ側の収納筒状体の投入口が前側の収納筒状体の投入口の高さよりも高くなるように配備されていることに特徴を有するものである。
【０００９】
ひとつの好適な態様として、本発明による使い捨てコップの回収用収納具は、前記収納筒状体群の最外周の相対向する個所に、前記本体容器の上方開口縁部に着脱可能に係合する吊下げ部材を外方へ張出し状に取り付けることができる。
また、前記本体容器の上方開口縁部に掛けられた前記ゴミ袋の口縁部の上には枠形状の押さえ蓋を前記収納筒状体群の外周を囲むように着脱可能に重合載置することができる。
さらに、前記収納筒状体はプラスチックシートで形成し、前記結合手段にはプラスチック製スナップを用いることができる。
【００１０】
【作用】
上記構成の使い捨てコップの回収用収納具は、後ろ側の収納筒状体の投入口が前側の収納筒状体の投入口の高さよりも高くなるように配備されることによって、人が本体容器の前側に立っても後ろ側の収納筒状体の投入口が見え易く、手も届き易くなるので、後ろ側の収納筒状体への使い捨てコップ投入量は前側の収納筒状体への投入量との差がほとんどなく、ほぼ均等に投入されることになる。
【００１１】
回収時には、収納筒状体群をゴミ袋の上方へ持ち上げると、各収納筒状体内の使い捨てコップ群が積み重なった状態のまま底部の開放口からゴミ袋の中に収容されるので、この後はゴミ袋を本体容器から取り出すことでこのゴミ袋ごと使い捨てコップを回収することができる。したがって、使い捨てコップの回収時にも収納筒状体からゴミ袋への移し変え作業を省略できる。
【００１２】
収納筒状体群を構成する各収納筒状体はこれ単独でも使い捨てコップを積み重なり状態に収容し得る筒形状をなすものであるから、この収納筒状体の本数を増減して互いに結合手段で結合することにより所望の使い捨てコップ収容容積を持つ各種大きさの回収用収納具を容易に製作でき、また収納筒状体を単一で使用することも可能である。
【００１３】
収納筒状体群の最外周の相対向する個所に、本体容器の上方開口縁部に着脱可能に係合する吊下げ部材を外方へ張出し状に取り付けておくと、吊下げ部材を本体容器の上方開口縁部に係合させることにより収納筒状体群をゴミ袋内に安定よく確実に支持でき、また吊下げ部材を手に持って収納筒状体群を容易に出し入れすることができる。
【００１４】
本体容器の上方開口縁部に掛けられたゴミ袋の口縁部の上には枠形状の押さえ蓋を収納筒状体群の外周を囲むように着脱可能に重合載置しておくと、押さえ蓋によりゴミ袋の口縁部を本体容器の上方開口縁部に対し押さえ付けることができるので、ゴミ袋が本体容器の中に安定よく確実に内装される。
【００１５】
収納筒状体はプラスチックシートで形成し、結合手段にはプラスチック製スナップを用いると、再三の使用による破損等によりプラスチックシート製の収納筒状体を廃棄する際、該収納筒状体とプラスチック製スナップとを分別する手間を省略できる。
【００１６】
【発明の実施の形態】
以下、本発明に係る使い捨てコップの回収用収納具の好適な実施形態を図面に基づき説明する。図１は使い捨てコップの回収用収納具を押さえ蓋を取り付ける前の状態で示す斜視図、図２は図１の回収用収納具の組み立て完成後の断面図、図３は図１の回収用収納具の収納筒状体群の斜視図、図４は図１の回収用収納具の隣接する収納筒状体同士の分離状態を示す一部斜視図である。
【００１７】
図１、図２に示すように、本発明の使い捨てコップの回収用収納具は、上方開放状の本体容器１と、本体容器１の内部に取り外し可能に内装したゴミ袋２と、ゴミ袋２の中に出し入れ可能に入れられる収納筒状体群３とを備えている。
【００１８】
本体容器１は、図１，２に示すようにゴミ袋２が外部から見えるように金属線材を組んで上方開放状の籠形状に形成すること、あるいは図示省略するがゴミ袋２が外部から見えないように五面体の板材で上方開放状の箱状に形成することもできる。
【００１９】
ゴミ袋２は紙製やプラスチック製のものが使用される。ゴミ袋２はこれの口縁部２ａを外方に拡開状に折り曲げて本体容器１の上方開口縁部４に引掛けることで本体容器１の内部に取り外し可能に内装される。
【００２０】
収納筒状体群３は、図３，４に示すように、複数本の収納筒状体５を互いにプラスチック製スナップ６やその他の止め具や接着剤等の結合手段で結合することにより構成される。各収納筒状体５は使い捨てコップＣを縦向きに投入可能な投入口７を上部に有し、底部に開放口８を有する角筒状又は円筒状などに形成される。収納筒状体５はプラスチックシートを角筒状又は円筒状に折り曲げ、重なり合う端縁同士を前記プラスチック製スナップ６と同じスナップあるいは接着剤等で接合することで形成したり、プラスチック成形で角筒状又は円筒状に一体成形したりして構成することもできる。
【００２１】
プラスチック製スナップ６は、図４に示すように、軸部６１と、この軸部６１の一端に一体に形成された頭部６２と、軸部６１の他端に形成されたくびれ部６３とを有する雄型具６Ａと、中央に孔６４を形成するとともに、この孔６４に切り込み６５を入れた皿状のワッシャ６Ｂとからなる。このプラスチック製スナップ６を用いて収納筒状体５、５同士を結合するには、隣接する収納筒状体５，５にそれぞれ設けた結合孔１１，１１を合致させ、この結合孔１１，１１に雄型具６Ａの軸部６１の他端を挿通し、該結合孔１１から突出する軸部６１の他端のくびれ部６３にワッシャ６Ｂの孔６４を挿入して抜け止め状に係合する。
【００２２】
収納筒状体群３は複数本の収納筒状体５を少なくとも前後に並べて配列するが、このとき後ろ側の収納筒状体５の投入口７が前側の収納筒状体５の投入口７の高さよりも高くなるように配列する。因みに、図示例では同じ長さの収納筒状体５を前後に上記条件下で配列してあるので、後列の収納筒状体５の底部が前列の収納筒状体５の底部よりも高くなっている。
【００２３】
収納筒状体群３の最外周の相対向する個所には、図１、図３に示すように、フック形状の吊下げ部材９，９を外方へ張出し状に取り付け、この一対の吊下げ部材９，９を本体容器１の上方開口縁部４の上にゴミ袋２の口縁部２ａを介して着脱可能に係合することによって、収納筒状体群３がゴミ袋２内に安定よく確実に支持できる。また吊下げ部材９，９はこれを手に持って収納筒状体群３をゴミ袋２に対し容易に出し入れできる把手機能を兼備している。
【００２４】
図１、図２に示すように、本体容器１の上方開口縁部４の上には押さえ蓋１０を着脱可能に重合載置する。この押さえ蓋１０は、収納筒状体群３の外周を囲み得る四角形の枠形状に形成されるとともに、本体容器１の上方開口縁部４にゴミ袋２の口縁部２ａ及び吊下げ部材９を介して重合状に載置されるよう断面Ｌ形状に形成される。したがって、押さえ蓋１０の載置によりゴミ袋２の口縁部２ａ及び吊下げ部材９は本体容器１の上方開口縁部４に対し押さえ付けられ、これらゴミ袋２の口縁部２ａ及び吊下げ部材９は不測に本体容器１の上方開口縁部４から浮き上がるようなことがなく、ゴミ袋２及び収納筒状体群３は本体容器１の中に安定よく確実に配備される。
【００２５】
上記のように構成された使い捨てコップの回収用収納具は、前側の収納筒状体５の投入口７の高さよりも後ろ側の収納筒状体５の投入口７の方が高くなるように配備しているので、人が本体容器１の前側に立っても後列の収納筒状体５の投入口７がよく見え、また手も届き易くなり、前列の収納筒状体５への投入量との差がほとんどなく、前後の収納筒状体５，５にほぼ均等に投入されるに至った。
【００２６】
回収時には、押さえ蓋１０を取り外し、吊下げ部材９，９を手に持って収納筒状体群３をゴミ袋２の上方へ持ち上げると、各収納筒状体５内の使い捨てコップＣ群が積み重なった状態のままで底部の開放口８からゴミ袋２の中に収容されるので、この後はゴミ袋２を本体容器１から取り出すことでこのゴミ袋２ごと使い捨てコップＣを回収することができる。回収後は新たなゴミ袋２を本体容器１の中に内装し、このゴミ袋２の中に再度、収納筒状体群３を入れて押さえ蓋１０を取り付けて次回の回収に供する。
【００２７】
【発明の効果】
本発明によれば、前側の収納筒状体の投入口よりも後ろ側の収納筒状体の投入口の方が高くなるように配備するので、前後の収納筒状体にほぼ均等に投入することを促すことができ、したがって回収作業回数の減少、資材の節減を図ることができて有利である。また、本体容器にゴミ袋を内装してあるので、回収時に使い捨てコップを収納筒状体からゴミ袋へ移し変える作業を省略できるという利点がある。
【図面の簡単な説明】
【図１】本発明の一実施例の使い捨てコップの回収用収納具を押さえ蓋を取り付ける前の状態で示す斜視図である。
【図２】図１の回収用収納具の組み立て完成後の断面図である。
【図３】図１の回収用収納具の収納筒状体群の斜視図である。
【図４】図１の回収用収納具の隣接する収納筒状体同士の分離状態を示す一部斜視図である。
【符号の説明】
１　本体容器
２　ゴミ袋
３　収納筒状体群
４　本体容器の上方開口縁部
５　収納筒状体
６　プラスチック製スナップ（結合手段の一例）
７　投入口
８　開放口
９　吊下げ部材
１０　押さえ蓋
【図１】
2004142931.tif 000003
【図２】
2004142931.tif 000004
【図３】
2004142931.tif 000005
【図４】
2004142931.tif 000006